(57)【要約】【課題】特定の商品の購入意欲を高めることができる券売機を提供する。【解決手段】券売機１の制御部２６は、第１操作画面において、タッチパネル表示部１２に表示された全ての選択ボタン３６に商品に関する第１情報を示す静止画像をそれぞれ表示し、その後、第２操作画面を表示し、予め設定された選択ボタン３６に第２情報を表示する。【選択図】      図５
2018106404.tif 000002
【特許請求の範囲】
【請求項１】
商品を選択するための選択ボタンを複数個表示するタッチパネル表示部と、
貨幣を投入するための貨幣投入装置と、
前記商品に関する券を発券する発券装置と、
前記タッチパネル表示部に第１操作画面を表示し、前記第１操作画面を表示した後に第２操作画面を表示する制御部と、
を有し、
前記制御部は、
前記第１操作画面において、前記タッチパネル表示部に表示された全ての前記選択ボタンに、前記商品に関する第１情報を示す静止画像をそれぞれ表示し、
前記第２操作画面において、予め設定された前記選択ボタンに前記第１情報とは異なる第２情報を表示する、
券売機。
【請求項２】
前記制御部は、前記第１操作画面を表示してから所定時間後に第２操作画面に表示を切り替える、
請求項１に記載の券売機。
【請求項３】
前記制御部は、前記第１操作画面の表示状態において前記貨幣投入装置に前記貨幣が投入されると第２操作画面に表示を切り替える、
請求項１に記載の券売機。
【請求項４】
前記第２情報とは、前記商品に関する情報を示す動画像である、
請求項１に記載の券売機。
【請求項５】
前記第２情報とは、前記商品に関する情報を示す静止画像である、
請求項１に記載の券売機。
【請求項６】
前記制御部は、前記第２操作画面を表示するときに、予め設定された前記選択ボタン以外の前記選択ボタンには前記第１情報をそのまま表示する、
請求項１乃至５のいずれか一項に記載の券売機。
【請求項７】
予め設定された前記選択ボタンは、１個又は複数個である、
請求項１乃至５のいずれか一項に記載の券売機。
【請求項８】
前記制御部は、設定された複数個の前記選択ボタンに前記第２情報を表示する場合に、一つの設定された前記選択ボタン毎に順番に前記第２情報を表示する、
請求項１乃至５のいずれか一項に記載の券売機。
【請求項９】
前記制御部は、前記予め設定された選択ボタンに前記第２情報を表示するときに、その選択ボタンに関する前記商品の音声情報も出力する、
請求項１に記載の券売機。
【発明の詳細な説明】
【技術分野】
【０００１】
本発明は、券売機に関するものである。
【背景技術】
【０００２】
最近の券売機においては、販売する商品に対応した選択ボタンをタッチパネル表示部に表示し、客はその表示された選択ボタンをタッチすることにより、目的の商品の券を購入できる。
【先行技術文献】
【特許文献】
【０００３】
【特許文献１】特許第５３５０７４８号公報
【特許文献２】特開平１０−２１４５７号公報
【発明の概要】
【発明が解決しようとする課題】
【０００４】
しかし、上記のようなタッチパネル表示部を有した券売機において、選択ボタンにその商品に関する外観と値段などの情報を静止画像で表示するだけでは、特定の商品の購入意欲を高めることができないという問題点があった。
【０００５】
そこで本発明は上記問題点に鑑み、特定の商品の購入意欲を高めることができる券売機を提供することを目的とする。
【課題を解決するための手段】
【０００６】
本発明は、商品を選択するための選択ボタンを複数個表示するタッチパネル表示部と、貨幣を投入するための貨幣投入装置と、前記商品に関する券を発券する発券装置と、前記タッチパネル表示部に第１操作画面を表示し、前記第１操作画面を表示した後に第２操作画面を表示する制御部と、を有し、前記制御部は、前記第１操作画面において、前記タッチパネル表示部に表示された全ての前記選択ボタンに、前記商品に関する第１情報を示す静止画像をそれぞれ表示し、前記第２操作画面において、予め設定された前記選択ボタンに前記第１情報とは異なる第２情報を表示する、券売機である。
【発明の効果】
【０００７】
本発明によれば、タッチパネル表示部が第１操作画面を表示した後に第２操作画面が表示され、この状態で予め設定された設定ボタンに第１情報とは異なる第２情報を表示することにより、その選択ボタンに関する商品の購入意欲を高めることができる。
【図面の簡単な説明】
【０００８】
【図１】本発明の一実施形態を示す券売機の正面図である。
【図２】券売機のブロック図である。
【図３】券売機の販売時のフローチャートである。
【図４】タッチパネル表示部の第１操作画面である。
【図５】タッチパネル表示部の第２操作画面である。
【図６】変更例４の券売機の販売時のフローチャートである。
【発明を実施するための形態】
【０００９】
以下、本発明の一実施形態の券売機１について図１〜図５を参照して説明する。
【００１０】
（１）券売機１の構造
券売機１の構造について図１を参照して説明する。
【００１１】
券売機１の本体１０の前面上部には、タッチパネル表示部１２が設けられ、その下方には、紙幣投入口１４、紙幣返却口１５、コイン投入口１６、コイン返却口１８、返却ボタン２０、発券口２２、人感センサ４６、取消しボタン２１が設けられている。
【００１２】
（２）券売機１の電気的構成
券売機１の電気的構成について図２のブロック図を参照して説明する。
【００１３】
券売機１の内部には、コンピュータよりなる制御部２６が設けられている。この制御部２６には、タッチパネル表示部１２、ビルバリ２８、返却ボタン２０、取消しボタン２１、コインメック３０、発券装置３２、メモリ３４、スピーカ２４、人感センサ４６が接続されている。
【００１４】
タッチパネル表示部１２は、券売機１の状態や販売する券に関する情報を表示する表示機能と、客の操作を検知するタッチセンサ機能を有している。表示機能は、制御部２６からの画像信号に基づいて静止画像、動画像を表示し、タッチセンサ機能は、客の指などがタッチした位置を制御部２６に出力する。制御部２６は、タッチパネル表示部１２の表示機能とタッチセンサ機能とスピーカ２４によって下記の役割を行わせる。なお、これら役割のための画像情報、音声情報は、メモリ３４に予め記憶されている。
【００１５】
まず、タッチパネル表示部１２は、選択ボタン３６の役割を有する。制御部２６は、タッチパネル表示部１２の中央部に販売する商品の選択ボタン３６を格子状に複数表示する。選択ボタン３６には、商品の外観の静止画、又は、動画像、販売価格などが表示される。
【００１６】
次に、タッチパネル表示部１２は、上広告表示部３８の役割を有する。これは、格子状に表示された選択ボタン３６の上方に、商品の広告を表示する役割である。
【００１７】
次に、タッチパネル表示部１２は、全面広告表示部４０の役割を有する。これは、券売機１が販売状態にない場合（前方に客が存在しない場合）に、タッチパネル表示部１２の全面に広告を表示する役割である。
【００１８】
次に、タッチパネル表示部１２は、金額表示部４２の役割を有する。これは、格子状に表示された選択ボタン３６の下方に、客の投入金額、購入金額、お釣りを表示する役割である。
【００１９】
次に、タッチパネル表示部１２は、その他の情報表示部４４の役割も有する。
【００２０】
ビルバリ２８は、紙幣投入口１４から投入された紙幣を識別する。また、紙幣を返却するときは紙幣返却口１５から返却される。
【００２１】
コインメック３０は、コイン投入口１６から投入されたコインを識別する。なお、貨幣とは、紙幣、コイン（硬貨）を意味し、紙幣投入口１４、コイン投入口１６、ビルバリ２８、コインメック３０が、貨幣投入装置を意味する。
【００２２】
返却ボタン２０は、選択ボタン３６で商品選択が終了した時点で、客が操作すると、その時点までに選択した商品の券が発券口２２から発行され、また、投入した貨幣の金額から選択した商品の金額を差し引いたお釣りが返却口１８から返却される。
【００２３】
取消しボタン２１は、貨幣を投入した後、客が操作すると、投入した貨幣が全て返却される。
【００２４】
発券装置３２は、選択された商品の券を発券する。
【００２５】
人感センサ４６は、投光部と受光部を有し、投光部から発射された光が、物質によって反射又は遮光されることで引き起こされる光量の変化を受光部で検出し出力信号を得る光電センサ、又は、物質から放射される熱線の量の変化を感知する赤外線センサより構成され、本体１の前方に客が存在する場合にそれを検知する。
【００２６】
（３）タッチパネル表示部１２の表示状態
次に、タッチパネル表示部１２の表示機能について図４と図５を参照して説明する。タッチパネル表示部１２は、初期画面、第１操作画面、第２操作画面の３つの表示画面を有する。
【００２７】
初期画面は、制御部２６が人感センサ４６によって券売機１の前方に客が存在することを検知していない場合に、表示される画面である。制御部２６は、タッチパネル表示部１２の全面広告表示部４０を用いて、商品に関する広告をタッチパネル表示部１２の全面で静止画像、又は、動画像で初期画面を表示する。このとき、制御部２６は、商品に関する音声もスピーカ２４から出力する。商品に関する音声とは、商品の魅力をアピールするような音声や効果である。
【００２８】
第１操作画面は、制御部２６が人感センサ４６によって客を検知した場合に、初期画面から切り替えて表示される画面であり、制御部２６は、第１操作画面に関して、次の情報を図４に示すように表示する。
【００２９】
制御部２６は、タッチパネル表示部１２の上部には、上広告表示部３８によって商品に関する広告宣伝を動画像、又は、静止画像で表示する。
【００３０】
制御部２６は、タッチパネル表示部１２の中央部には、販売する商品の選択ボタン３６を格子状に表示する。この選択ボタン３６は長方形であり、静止画像よりなる第１情報を表示する。例えば、この券売機１が食券を販売する場合には、第１情報としては、各選択ボタン３６の上部にうどん、そばなどの販売したい食品の外観を撮影した静止画像を表示し、その下部に商品名（例えば、「うどん」）と販売額（例えば、「３００円」）を表示する。
【００３１】
制御部２６は、タッチパネル表示部１２の下部に、金額表示部４２を表示する。金額表示部４２は、客の投入金額、購入金額、お釣りを表示する。但し、第１操作画面では、客はお金（貨幣）を投入していないため全て０円と表示する。
【００３２】
制御部２６は、その他必要な情報（例えば、販売店名）などをその他の情報表示部４４に表示する。
【００３３】
第２操作画面は、第１操作画面が表示された後、制御部２６が、第１操作画面から切り替えて表示される画面であり、制御部２６は、第２操作画面に関して、次の情報を図５に示すように表示する。
【００３４】
制御部２６は、第１操作画面と同様に、タッチパネル表示部１２の上部には、上広告表示部３８によって商品に関する広告宣伝を動画像、又は、静止画像を表示する。
【００３５】
制御部２６は、タッチパネル表示部１２の下部に、金額表示部４２を表示する。金額表示部４２は、客の投入金額、購入金額、お釣りを表示する。
【００３６】
制御部２６は、予め設定された選択ボタン３６に関して、第１操作画面の静止画像（第１情報）とは異なる第２情報を表示する。第２情報は、予め設定された選択ボタン３６と関連付けてメモリ３４に記憶されている。なお、第２情報を表示する選択ボタン３６は予め設定されているが、この予め選択された選択ボタン３６は、例えば、店舗が販売促進したいメニューや、注意を引きたいメニューに基づいて、対応する選択ボタン３６が設定される。具体的には、季節や時間に応じて売上を上げたい商品や、注意を引きづらいテイクアウトのボタンなどを設定する。また、「予め設定する」とは、店舗で管理者が券売機１を操作して設定するだけでなく、サーバシステムからインターネット等のブロードバンドネットワークを通じて配信することもできる。この場合、例えば、券売機１の売上データと連動して、売上の悪い商品の選択ボタン３６について第２情報を表示するように設定してもよい。第２情報は、具体的には動画像であり、例えば、うどんの場合には湯気が出ている状態を動画像で表示し、そのうどんが美味しいことをアピールする。この場合に、予め設定される選択ボタン３６の数は１個でもよく、複数個でもよい。すなわち、選択ボタン３６の個数は、客の注意を喚起する効果を損なわないような個数に適宜設定される。したがって、この場合、全ての選択ボタン３６ではなく、選択ボタン３６の総数よりも少ない個数とする。また、１個の選択ボタン３６のみが設定されている場合には、その商品に関する音をスピーカ２４から出力する。複数個の選択ボタン３６に動画像を表示する場合には、同時に表示する。なお、設定されていない他の選択ボタン３６については、第１操作画面と同様に静止画像のみからなる第１情報を表示する。また、設定される選択ボタン３６は、客が目につきやすい場所、例えばタッチパネル表示部１２左上の領域に位置する選択ボタン３６を設定する。
【００３７】
（４）券売機１の販売状態
券売機１の販売状態について図３のフローチャートを参照して説明する。
【００３８】
ステップＳ１において、制御部２６は、人感センサ４６が客を検知していない場合には、タッチパネル表示部１２に初期画面を表示して商品の広告を行い、ステップＳ２に進む。
【００３９】
ステップＳ２において、制御部２６は、人感センサ４６が客を検知した場合には、ステップＳ３に進み、検知していない場合にはステップＳ１に戻る。
【００４０】
ステップＳ３において、制御部２６は、客を検知したためタッチパネル表示部１２を初期画面から図４に示す第１操作画面に切り替えて表示する。そしてステップＳ３から所定の時間が経過した後、ステップＳ４に進む。「所定の時間」とは、例えば客が券売機１の前に立ってから操作する間の時間程度に設定された数秒の時間である。
ステップＳ４において、制御部２６は、第１操作画面から所定時間後に図５に示す第２操作画面に切り替えて表示する。この場合に、予め設定された選択ボタン３６に動画像を表示する。設定されていない他の選択ボタン３６については、第１操作画面と同様に静止画像のみからなる第１情報を表示する。そしてステップ５に進む。
ステップＳ５において、客が紙幣投入口１４、又は、コイン投入口１６からお金を投入した場合には、制御部２６は、第２操作画面の金額表示部４２に投入金額を表示し、ステップＳ６に進み、投入していない場合にはステップＳ５を継続し、第２操作画面の表示を続ける。
【００４１】
ステップＳ６において、客が、１個の選択ボタン３６を操作すると、ステップＳ７に進む。
【００４２】
ステップＳ７において、制御部２６は、操作された選択ボタンの商品の金額に対応した購入金額、お釣りを金額表示部４２に表示する。そしてステップＳ８に進む。
【００４３】
ステップＳ８において、返却ボタン２０が操作された場合には、ステップＳ９に進み、返却ボタン２０が操作されない場合には、ステップＳ５に戻る。
【００４４】
ステップＳ９において、制御部２６は、発券装置３２によってその選択ボタン３６に対応する商品の券を発券し、終了する。なお、発券はステップＳ６において選択ボタン３６が操作されたときに行ってもよい。
なお、いずれのステップにおいても客によって取消しボタン２１が操作されたときは、エンドに進む。
【００４５】
（５）効果
本実施形態によれば、第１操作画面が表示された後、客が選択ボタン３６を操作するまでの時間は、静止画像で表示されていた選択ボタン３６の中で、予め設定した選択ボタン３６の画像が、静止画像から動画像になるため、その商品をより客に対しアピールでき、購入の衝動の演出を行うことができる。したがって、販売者側がお勧めの商品に客を誘導でき、購買意欲を高めることができて客単価の上昇が可能となる。
【００４６】
（６）変更例１
上記実施形態では商品として食品で説明したが、本発明は、これに代えて映画やその他の演劇などの入場券、風呂、プール、サウナなどの利用券の券売機においても利用できる。
【００４７】
また、映画の入場券などの券売機として使用する場合には、第２操作画面において予め設定された選択ボタン３６に、動画像に代えて残りの席数などの第２情報を示す静止画像を表示してもよい。また、第２情報としては、映画の予告画像などの動画像と共にその静止画像で表された残席数を表示してもよい。
【００４８】
（７）変更例２
上記実施形態では、第２操作画面において、複数個の選択ボタン３６に動画像を表示する場合、同時に表示していたが、これに代えて、設定された複数個の選択ボタン３６に関して、それぞれ１個ずつ所定時間（例えば、３秒〜１０秒）毎に第２情報を順番に表示し、第２操作画面において第２情報が表示される選択ボタン３６を単位時間あたり１つにすることで、客の注意が複数の商品に分散することを防止してもよい。この場合、１個の動画像の再生が終わったら、次の選択ボタンの動画像の再生を開始するようにしてもよい。また、順番に表示し終わった後は所定の時間枠で繰り返し表示するようにしてもよい。この場合、スピーカから出力される音はそれぞれの選択ボタン３６と関連付けて順番に出力されるようにしてもよい。
【００４９】
（８）変更例３
上記実施形態では、返却ボタン２０は、商品選択の決定ボタンも兼用するが、タッチパネル表示部１２に決定ボタンを別途設け、客が押下すると、その時点までに選択した商品の券が発券口２２から発行されるようにしてもよい。この場合、返却ボタン２０は、投入した貨幣の金額から選択した商品の金額を差し引いたお釣りを返却する役割を有する。
【００５０】
（９）変更例４
上記実施形態では、制御部２６は、図４に示す第１操作画面から所定時間後に図５に示す第２操作画面に切り替えて表示したが、これに代えて、図６のフローチャートのステップＳ４’と、ステップＳ５’に示すように、図４に示す第１操作画面において、貨幣が投入された後に、第２操作画面に切り替えてもよい。この場合、第２操作画面は、紙幣投入口１４、コイン投入口１６から紙幣、又は、コインが投入され、ビルバリ２８、又は、コインメック３０がそれを検知した場合に、表示される画面となる。本変更例の場合、貨幣を投入するという行為を行う購入意思のある客に向けて購買意欲を高めることができるので、購入意思のない通行人に対しては不要なアピールを行うことなく第２操作画面に切り替えるための電力消費量を抑えることができる。なお、他のステップでは、上記実施形態と同様の順番で制御が行われる。
【００５１】
また、第１操作画面を表示してから所定時間後に第２操作画面を表示し、その表示状態で客が貨幣を投入する前に、客が選択ボタン３６を操作する制御の順番でもよい。
【００５２】
（１０）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
１・・・券売機、１２・・・タッチパネル表示部、１４・・・紙幣投入口、１６・・・コイン投入口、２６・・・制御部、２８・・・ビルバリ、３０・・・コインメック、３２・・・発券装置、３６・・・選択ボタン、４６・・・人感センサ
【図１】
2018106404.tif 000003
【図２】
2018106404.tif 000004
【図３】
2018106404.tif 000005
【図４】
2018106404.tif 000006
【図５】
2018106404.tif 000007
【図６】
2018106404.tif 000008